(57)【要約】      （修正有）【課題】使用上の安全性と使いやすさを実現し、簡単で使用範囲が広く、身体の色々な部分を一つの器具で鍛えることのできる筋肉トレーニング器を提供する。【解決手段】内側面から所定の厚みを有した面を伸縮部材１の伸長する方向に宛がい、内側面を対向させて、足掛け部材２に少なくとも１０ｃｍ以上の間隔を有して形成された孔状又は凹状又は筒状又は其の他の形状の前記伸縮部材を保持する手段を有する伸縮部材支持部３に取り付けられている。そして、前記二つの足掛け部材の其々の前記伸縮部材に宛がっている箇所に於いて、該箇所の両側端部から中央部へ１０ｃｍ以上を有した所定の箇所の其々に、所定の曲率を有して内側に湾曲する又は屈曲する又は屈折する足掛け曲部４が対向して形成されている。該足掛け曲部には一定の箇所が曲がる手段が講じてあり、対向する二箇所の前記足掛け曲部の曲がりに依って一つの足掛け部材に於いて対向する二つの面を合わせて折り畳むことができる。【選択図】図１
0003166018.tif 000002
【実用新案登録請求の範囲】
【請求項１】
柔軟性と伸縮性を有する紐状又は帯状又は管状又は其の他の形状から成り、両側を接続して所定の周長を有する伸縮部材の内側に、クッション性を有する部材から成り、少なくとも２０ｃｍ以上の長さと、所定の幅と厚みを有して形成された足掛け部材が二つ、内側面から所定の厚みを有した面を前記伸縮部材の伸長する方向に宛がい、内側面を対向させて、前記足掛け部材に少なくとも１０ｃｍ以上の間隔を有して形成された孔状又は凹状又は筒状又は其の他の形状の前記伸縮部材を保持する手段を有する伸縮部材支持部に取り付けられている。そして、前記二つの足掛け部材の其々の前記伸縮部材に宛がっている箇所に於いて、該箇所の両側端部から中央部へ１０ｃｍ以上を有した所定の箇所の其々に、所定の曲率を有して内側に湾曲する又は屈曲する又は屈折する足掛け曲部が対向して形成されている。該足掛け曲部には一定の箇所が曲がる手段が講じてあり、対向する二箇所の前記足掛け曲部の曲がりに依って、一つの足掛け部材に於いて対向する二つの面を合わせて折り畳むことができる。以上の構造に於いて前記足掛け部材の両側端部から中央部へ１０ｃｍ伸長した範囲内には前記足掛け曲部と同じ曲率又は其れ以上の曲率を有して一定の箇所が曲がり、且つ該曲がりに依って、一つの足掛け部材に於いて対向する二つの面を合わせて折り畳むことのできる手段が講じられていないことを特徴とする環状の筋肉トレーニング器。
【請求項２】
足掛け曲部を足掛け部材が所定の箇所に自体で有しており、自体で有することを一定の箇所が曲がる手段としたことを特徴とする請求項１に記載の環状の筋肉トレーニング器。
【請求項３】
足掛け曲部の曲率を曲率半径で５ｃｍ以内にしたことを特徴とする請求項１〜２のいずれかに記載の環状の筋肉トレーニング器。
【請求項４】
二つの対向する足掛け曲部を曲げ、其々の足掛け部材の内側で対向する面を合わせて二重に折り畳んだ足掛け部材の厚みが少なくとも６ｃｍ以上であることを特徴とする請求項１〜３のいずれかに記載の環状の筋肉トレーニング器。
【請求項５】
二重に折り畳んだ形態に於いて、更に其の中央部を折り畳んで四重に形成した際、足掛け部材の厚みが少なくとも８ｃｍ以上と成ることを特徴とする請求項１〜４のいずれかに記載の環状の筋肉トレーニング器。
【請求項６】
折り畳んだ形態を保持する為の止め具が伸縮部材又は足掛け部材又は伸縮部材支持部又は其の他の構成部材のいずれかに形成されていることを特徴とする請求項１〜５のいずれかに記載の環状の筋肉トレーニング器。
【請求項７】
止め具をマジックテープで形成したことを特徴とする請求項６に記載の環状の筋肉トレーニング器。
【請求項８】
伸縮部材支持部を帯状のバンドで形成したことを特徴とする請求項１〜７のいずれかに記載の環状の筋肉トレーニング器。
【請求項９】
伸縮部材支持部をマジックテープで形成したことを特徴とする請求項１〜８のいずれかに記載の環状の筋肉トレーニング器。
【請求項１０】
１０ｃｍ以上の間隔を有する二箇所の伸縮部材支持部の内側に更なる伸縮部材支持部を形成し、該伸縮部材支持部の内側幅が外側二箇所の前記伸縮部材支持部の内側幅よりも小さいことを特徴とする請求項１〜９のいずれかに記載の環状の筋肉トレーニング器。
【請求項１１】
足掛け部材の所定の箇所が少なくとも長さ８ｃｍ以上に亘って、幅が６ｃｍ以上であることを特徴とする請求項１〜１０のいずれかに記載の環状の筋肉トレーニング器。
【請求項１２】
足掛け部材がスポンジ材で形成されていることを特徴とする請求項１〜１１のいずれかに記載の環状の筋肉トレーニング器。
【請求項１３】
スポンジ材にスポンジ材よりも伸縮性の少ない、且つ引っ張り強度を有する、帯状又は布状又はシート状又はフィルム状又は其の他の形状の部材から成る補強部材を接合したことを特徴とする請求項１〜１２のいずれかに記載の環状の筋肉トレーニング器。
【請求項１４】
足掛け部材が気密性を有した、シート状又はフィルム状の部材から成る風船で形成されていることを特徴とする請求項１〜１１のいずれかに記載の環状の筋肉トレーニング器。
【請求項１５】
二つの足掛け部材の其々の両側端部を直接又は間接に接触させ、更に足掛け曲部の所定の箇所の厚みを他部より薄くすることに依り、一定の箇所が曲がる手段としたことを特徴とする請求項１〜１４のいずれかに記載の環状の筋肉トレーニング器。
【請求項１６】
伸縮部材がゴム材で形成されていることを特徴とする請求項１〜１５のいずれかに記載の環状の筋肉トレーニング器。
【考案の詳細な説明】
【技術分野】
【０００１】  本弧案は身体の筋肉を鍛える為の筋肉トレーニング器に関する。
【背景技術】
【０００２】  従来、足腰を鍛える器具は色々提供されて来ているが、其のどれもが身体の一部分を鍛える器具であり、又は鍛える箇所を幾つかに分けて部分的にトレーニングする器具であった。又、細いゴムチューブを使用して、其れを手や足で引き伸ばす方法も公知であるが、ゴム材を使用すると切れた際の跳ね返りが使用者や周囲の物に当たり危険であった。
【解決しようとする課題】
【０００３】  本考案に於いては従来のゴムチューブを使用した方法から新たな構造を形にして、使用上の安全性と使い易さを実現し、及び簡易な構造で使用範囲の広い、即ち身体の色々な部分を一つの器具で鍛えられる筋肉トレーニング器を提供することを課題とする。
【課題を解決する為の手段】
【０００４】  上記課題を解決する為に、本考案者は次の如き環状の筋肉トレーニング器を提供する。
１、柔軟性と伸縮性を有する紐状又は帯状又は管状又は其の他の形状の部材から成り、且つ両側を接続して所定の周長を有する伸縮部材の内側に、クッション性を有する部材から成り、少なくとも２０ｃｍ以上の長さと、所定の幅と厚みを有して形成された足掛け部材が二つ、内側面から所定の厚みを有する面を伸縮部材の伸長する方向に宛がい、内側面を対向させて、前記足掛け部材に少なくとも１０ｃｍ以上の間隔を有して形成された、孔状又は凹状又は筒状又は其の他の形状の前記伸縮部材を保持する手段を有する伸縮部材支持部に取り付けられている。そして、前記二つの足掛け部材の其々の前記伸縮部材に宛がっている箇所に於いて、該箇所の両側端部から中央部へ１０ｃｍ以上を有した所定の箇所の其々に、所定の曲率を有して内側に湾曲する又は屈曲する又は屈折する足掛け曲部が対向して形成されている。該足掛け曲部には一定の箇所が曲がる手段が講じてあり、対向する二箇所の前記足掛け曲部の曲がりに依って、一つの足掛け部材に於いて対向する二つの面を合わせて折り畳むことができる。以上の構造に於いて前記足掛け部材の両側から中央部へ１０ｃｍ伸長した範囲内には前記足掛け曲部と同じ曲率又は其れ以上の曲率を有して一定の箇所が曲がり、且つ該曲がりに依って、一つの足掛け部材に於いて対向する二つの面を合わせて折り畳むことのできる手段が講じられていないことを特徴とする環状の筋肉トレーニング器。
２、足掛け曲部を足掛け部材が所定の箇所に自体で有しており、自体で有することを一定の箇所が曲がる手段としたことを特徴とする上記第１項に記載の環状の筋肉トレーニング器。
３、足かけ曲部の曲率を曲率半径で５ｃｍ以内としたことを特徴とする上記第１〜２項のいずれかに記載の環状の筋肉トレーニング器。
４、二つの対向する足掛け曲部を曲げ、其々の足掛け部材の内側で対向する面を合わせて二重に折り畳んだ足掛け部材の厚みが少なくとも６ｃｍ以上であることを特徴とする上記第１〜３項のいずれかに記載の環状の筋肉トレーニング器。
５、二重に折り畳んだ形態に於いて、更に其の中央部を折り畳んで四重に形成した際、足掛け部材の厚みが少なくとも８ｃｍ以上と成ることを特徴とする上記第１〜４項のいずれかに記載の筋肉トレーニング器。
６、折り畳んだ形態を保持する為の止め具が伸縮部材又は足掛け部材又は伸縮部材支持部又は其の他の構成部材のいずれかに形成されていることを特徴とする上記第１〜５項のいずれかに記載の環状の筋肉トレーニング器。
７、止め具をマジックテープで成したことを特徴とする上記第６項に記載の環状の筋肉トレーニング器。
８、伸縮部材支持部を帯状のバンドで形成したことを特徴とする上記第１〜７項のいずれかに記載の環状の筋肉トレーニング器。
９、伸縮部材支持部をマジックテープで形成したことを特徴とする上記第１〜８項のいずれかに記載の環状の筋肉トレーニング器。
１０、１０ｃｍ以上の間隔を有する二箇所の伸縮部材支持部の内側に更なる伸縮部材支持部を形成し、該伸縮部材支持部の内側幅が外側二箇所の前記伸縮部材支持部の内側幅よりも小さいことを特徴とする上記第１〜９項のいずれかに記載の環状の筋肉トレーニング器。
１１、足掛け部材の所定の箇所が少なくとも長さ８ｃｍ以上に亘って、幅が６ｃｍ以上であることを特徴とする上記第１〜１０項のいずれかに記載の環状の筋肉トレーニング器。
１２、足掛け部材がスポンジ材で形成されていることを特徴とする上記第１〜１１項のいずれかに記載の環状の筋肉トレーニング器。
１３、スポンジ材にスポンジ材よりも伸縮性の少ない、且つ引っ張り強度を有する、帯状又は布状又はシート状又はフィルム状又は其の他の形状の部材から成る補強部材を接合したことを特徴とする上記第１〜１２項のいずれかに記載の環状の筋肉トレーニング器。
１４、足掛け部材が気密性を有した、シート状又はフィルム状の部材から成る風船で形成されていることを特徴とする上記第１〜１１項のいずれかに記載の環状の筋肉トレーニング器。
１５、二つの足掛け部材の其々の両側端部を直接又は間接に接触させ、更に足掛け曲部の所定の箇所の厚みを他部より薄くすることに依り、一定の箇所が曲がる手段としたことを特徴とする上記第１〜１４項のいずれかに記載の環状の筋肉トレーニング器。
１６、伸縮部材がゴム材で形成されていることを特徴とする上記第１〜１５項のいずれかに記載の環状の筋肉トレーニング器。
【考案を実施するための形態】
【０００５】  以下、図面を参照しながら本考案の各種態様に係る環状の筋肉トレーニング器に関して説明する。以下の説明は本考案の技術思想を具現化する幾つかの具体例を説明するものであり、本考案は以下の説明に限定されるものではない。
【０００６】  図１は本考案の一態様に係る環状の筋肉トレーニング器の構造を示す平面図（ａ）と正面図（ｂ）と側面図（ｃ）である。図１に示す環状の筋肉トレーニング器は所定の太さと周長を有して環状に形成された、柔軟性と伸縮性を有する紐状の伸縮部材１の内側に、クッション性を有する部材から成り、長さが２０ｃｍ以上で所定の幅と所定の厚みを有する足掛け部材２が二つ、内側を対向させて、該足掛け部材の其々の外側部分に１０ｃｍ以上の間隔を有して形成された帯状の二つの伸縮部材支持部３の内側に取り付けられており、足掛け部材２の内側面から所定の厚みを有する外側面が伸縮部材２の伸長する方向に宛がわれた形態となっている。本考案に於いて足掛け部材２の長さとは、図１に示す如く、平面上における伸縮部材１の環に沿う方向の寸法を示し、幅とは平面上における環の中央と伸縮部材１を結ぶ方向と伸縮部材１が伸長する方向に対して直交する方向の寸法を示し、厚みとは平面上における前記環の中央と伸縮部材１を結ぶ方向を示す。又、環の中央とは環を円形にした場合に、其の差し渡しの中央部、即ち円の中心を示すものである。図１に於いて伸縮部材支持部３は足掛け部材２の両側端部５に形成されている。更に前記二つの足掛け部材２の其々の、伸縮部材１に宛がわれている両側端部５から中央部に１０ｃｍ以上を有した所定の箇所の内側面には所定の曲率を有して内側に湾曲した足掛け曲部４が形成されている。図（ａ）に於いては、二つの足掛け部材２の両側端部５の間が開いた形態となっているが、これは足掛け部材２が伸縮部材１又はその他の力を借りずに、取り付ける以前から自体で曲がりを有しているからであり、其れを以て一定の箇所が曲がる手段としたものである。又、一つの足掛け部材２の端部５の間が中央部で開いた形態で示されているが、実際には前記足掛け曲部４の曲がりに依って重ね合わせることができる。其の形態は後記する。以上が本環状の筋肉トレーニング器の基本構成となっている。
【０００７】  これを使用するには、二つの足掛け部２の中央部（図面上では左右と成っている）に形成されている足掛け曲部４に左右の足を差し入れて宛がい、内側より外側に足掛け部材２を押し広げることで、伸縮部材１が引き伸ばされ、その張力に依り足腰の筋肉に負荷を与え、筋肉を鍛えることができるのである。更に使用方法に就いて云えば、片足で足掛け部材２を踏み押えて立ち、立った状態で他方の足を足掛け部材２の内側に掛けて任意の方向に押し広げる運動や、椅子に腰かけた状態で両足を内側の足掛け曲部４に掛けて両足で任意の方向に広げる運動などができる。又、手で二つの足掛け曲部４の面を内側から押し開くことで手や肩や背中の筋肉も鍛えることができる。又、クッション性を有し、且つ所定の厚みを有しているので、前記足掛け曲部４の箇所で曲げて足掛け部材２の内側の対向する二面を重ね合わせ、外側から両手又は両足で挟み圧縮することで、押し広げる筋肉とは逆に働く筋肉を鍛えることができる。
【０００８】  次に図１に基づき本考案の技術思想に就いて説明すれば、本環状の筋肉トレーニング器に於いて伸縮部材１の内側にクッション性を有する部材を取り付けたのは、内側から押し広げて引き伸ばされた伸縮部材１が片方の足から外れた時、又は切れた時に其の跳ね返りが他方の足又は物に当たった際、其の跳ね返りの衝撃を吸収する緩衝材として形成したものである。又、所定の幅を有することで足先を掛け易く、更に足先を外れ難くしている。又、足掛け部材２の長さを２０ｃｍ以上としているのは、第一には前記の安全性を考慮してクッションの衝撃吸収箇所を長く大きくしたものであるが、椅子に腰掛けて両足の甲と足の裏を二つの足掛け部材２の其々の中央部に掛けて、足を交差して使用したとした場合、足の交差で足掛け部材２の内側の足に当たる面が足の動きに沿って回転し、少なくとも中央から左右１０ｃｍ以上の、合わせて２０ｃｍ以上の寸法を有しないと足掛け部材２の端部５から足が外れてしまう不具合が生じるので其れを防ぐ為でもある。２０ｃｍ以上とは人の足先の甲側と足裏の周囲の長さを以て、其れに一応足る寸法として少なくとも２０ｃｍ以上と規定したものである。又、本考案で二つの足掛け部材２の両側端部５から１０ｃｍ以上を有した所定の箇所に一定箇所が曲がる足掛け曲部４が形成される手段が講じられていることを請求の要件にしているのは、前記両側端部５から１０ｃｍの範囲内に同様の曲部が形成されていると、使用する際、該曲部に足を掛け易く成る為に、前述の様に椅子に腰掛けて両足を開いて使用する様な場合に、足が足掛け部材２の端部５から外れてしまう不具合が生じるからである。この不具合を避ける為に両側端部５から中央部に少なくとも１０ｃｍ以上を有した箇所に足掛け曲部４を形成するものである。該足掛け曲部４は伸縮部材１に足掛け部材２を取り付けた際に一定箇所が曲がる手段が講じられている。但し其れには、取り付ける以前から一定箇所が曲がりを有している場合と、取り付けた際に、一定箇所が曲がる構造を有している場合とが有り、図１は取り付ける以前から曲がりを有する場合である。一定箇所が曲がることは上記１０ｃｍの範囲外での曲がりの位置を一定にする以外に、位置を確認し易く、其れに依り足を掛け易くする機能も有している。そして、前記足掛け曲部４の箇所に於いて内側に曲げることができる。足掛け部材２の端部５から１０ｃｍの範囲内には同様に一定箇所が曲がり、且つ対向する二つの面が合わされて折り畳める手段が講じられていないと云うのが本考案の要件と成っているのは上記の理由からである。又、ここで云う対向する二つの面の対向とは一つの足掛け部材２の内側面に於いて正面で向き合っていることでは無く、折り畳んだ際に向き合って合わされて行くと云う意味での対向である。又、一定の箇所を曲げる手段は上記の様に予め曲がりを形成して置くか又は曲がりの部分の材質を他部依り柔らかくして置くか又は後記するが、曲がりの部分の厚みを薄く形成するか又は幅を狭くして曲がり易くするなど色々あるので、其の方法は設計上経験的に決定されて良い。又、手段を講じると云うことは何もしていない状態、例えば同じ材質の部材を均一の厚みに形成して、伸縮部材１に取り付け中央部が���子の原理で外側より撓みが大きく成ると云ったものは手段を講じたとは云わない。手段とは他と異なる、他部と同一でない工夫を施すことを云う。又一定の箇所と云うことは曲がりの箇所が決まっていること云うことである。依って足掛け部材２の両端部側を外側から内側に押すことに依り、重ねる位置を合わせずとも、自ずから同じ箇所で曲がることができる。又、一定の箇所における足掛け曲部４の曲率は任意ではあるが曲率は大きいほど好ましい。実施上、足掛け曲部４の曲りは其の逆数の曲率半径で示せば５ｃｍ以内が好ましく、屈折していてもかまわない。寧ろ屈折している方が足を掛け易くなるので好ましい。又、足掛け部材２は内側面から所定の厚みを有する面を伸縮部材１の伸長する方向に宛がっていることが要件であり、宛がっていない部分は基本的には内側から伸縮部材１を押し広げる役割を有していないとするものである。但し宛がうことは必ずしも直接に接触させることを意味するものではない。間接であっても良い。図１に於いては外側面に宛がっている形態を示しているが、外側面で無くとも足掛け部材２の内部であっても良い。又、足掛け部材の伸縮部材１への取り付け個数は、本考案で示す前記二つの足掛け部材２以外に取り付けても良い。又、足掛け部材２の外側面の両側端部５に形成された伸縮部材支持部３は１０ｃｍ以上の間隔を有しており、伸縮部材１を保持し支え、伸縮部材１を引き張る際の支点と成っている。１０ｃｍ以上と規定しているのは、足掛け部材２を片足で押さえて踏み、他方の足で任意の方向に押し広げた際に、足掛け部材２の外側面の伸縮部材１に宛がっている部分が伸縮部材１から外れることを防ぐ為であり、例えば足掛け部材２の中央部に３ｃｍ程度の間隔を有して形成したとすると、使用中に足掛け部材２の端部５側が幅方向に伸縮部材１から外れてしまうことが生じる。これを防ぐために少なくとも２０ｃｍ以上を有する足掛け部材に対して、少なくとも１０ｃｍ以上と規定するものである。又、１０ｃｍ以上の間隔とは伸縮部材支持部３の外側間の間隔を示すものである。其れは伸縮部材１を動かす際の支点と成る箇所が外側部になるからである。又、伸縮部材支持部３は二箇所に分けて形成する必要は無く、一本の筒状部材を取り付け、其の左右二つの入口を支点とすることでも良い。又、本考案では二箇所の対向する足掛け曲部４の曲がりに依り、一つの足掛け部材２の内側に於いて、対向する面を合わせて折り畳めることを要件としているが、これは図８で示す如く、図１で示した前記二つの足掛け曲部４の箇所を更に曲げて、内側の対向する面を重ね合せると云う意味である。二つの足掛け部材２の両端部５側を合わせて折り畳んだ二重の足掛け部材２は一重の時に比べ厚みを増やすことができ、合わせた状態で外側から挟んで圧縮すると圧縮運動をすることができるのである。又、折り畳んだ二重の足掛け部材２を開いて円形にした場合、足掛け曲部４は其の差し渡し方向で対向していることが好ましいが、折り畳んだ形を三日月形にする様な場合もあるので、必ずしも差し渡し方向である必要は無い。面が向き合っていれば良い。又、更に後記するが、対向することで二重を四重にすることが容易になる。以上が本考案の技術思想である。
【０００９】  次に各部分の詳細に就いて説明する。図１に於いて伸縮部材１は繋ぎ目の無い環状に示されているが、実施上は一本の部材の端部を結び合わせて環を形成したものでも良い。長さは伸びていない状態で、２０ｃｍ以上を有する足掛け部材２を内側に二つ、足掛け部材２の所定の面を宛がって容れ込む寸法、即ち４０ｃｍ以上を有することが必要であるが、実施上、足掛け部材２との接続に於いて適宜経験的に環の周長は変更することができる。材質は任意であるが、実施上はゴム材が好ましい。ゴム材を使用する場合、其の伸び率が伸びていない時の長さを１とすると、伸びた際に２以上に成ることが好ましい。又、形状に就いては、実施上、太さ又は幅は１ｃｍ程度の紐状又は管状又は幅が１ｃｍ以上で厚みが５ｍｍ程度の帯状又は厚みが更に薄いフィルム状などの部材が選択できる。又、複数本を足掛け部材２に取り付けても良い。
【００１０】  次に足掛け部材２であるが、該足掛け部材２はクッション性を有する部材で形成されている。クッション性とは柔軟性と弾性と伸縮性を有するものである。収縮性を有していても良い。実施上、一つの足掛け部材２は、両側端部５間の長さが４０〜５０ｃｍ程度を有することが運動範囲を大きくできるので好ましい。又、幅は足掛け部材２の長さの少なくとも６０％以上に於いて連続的又は断続的に５〜２０ｃｍの範囲内で形成されることが好ましい。又、所定の箇所を長さ８ｃｍ以上に亘り、幅を６ｃｍ以上とすることを別の態様に於いて示しているが、特に足を宛がう頻度の多い足掛け曲部４は該寸法以上であることが好ましい。実施上は全体を８〜９ｃｍ程度の幅とする方が、足を掛け易く又外れ難く又押し広げる際の圧力を均一に分散できるので好ましい。厚みは２〜５ｃｍ程度が好ましい。材質はスポンジ材が好ましいが、スポンジ材以外ではシート状のビニール材又は其の他の部材から成る風船で形成しても良い。又、スポンジ材の所定の箇所に所定の長さ及び所定の幅及び所定の厚みを有する、帯状又は布状又はシート状又はフィルム状又は薄板状のスポンジ材よりも伸縮性の少ない、且つスポンジ材より引っ張り強度を有する補強部材６を接合しても良い。補強部材６はスポンジ部材を加工して上記特性を有したものでも良い。又、複数の部材を複合させて補強部材６を形成しても良い。図２の正面図（ａ）と平面図（ｂ）はスポンジ材の外側表面に補強部材６を接合した構造の一部を示している。補強部材６を接合した場合、補強部材６は足掛け部材２の一部と成る。又、足掛け部材２は図１で示す様に一体で２０ｃｍ以上を形成しても良いし、図２の平面図（ｃ）で示す様に補強部材６に分割して取り付けても良いし、又は他の接続方法で複数の足掛け部材２の間を接続して２０ｃｍ以上の長さを形成してもよい。其の場合、其々の足掛け部材２の間は接触していても良いし、所定の間隔を有していても良い。間隔を有する場合、間隔の部分は前記２０ｃｍには含まないものとする。又、伸縮部材１の環には前記二つの足掛け部材２以外の他のクッション性を有する足掛け部材を取り付けても良い。又、足掛け部材２の幅及び厚みは該足掛け部材２の中で変化させても良い。図３の側面図（ａ）は足掛け曲部４の幅を広くして其の左右の幅を狭くした図である。図３の平面図（ｂ）は厚みを変化させた形態を示しており、足掛け部材２の両側端部５が足掛け曲部４の箇所よりも厚く形成されている。
【００１１】  次に伸縮部材支持部３に就いて説明すると、伸縮部材支持部３は前述の様に足掛け部材２に形成された伸縮部材１を保持して支える支点と成る箇所であり、形状は任意である。又、伸縮部材支持部３は前述した補強部材６に形成することもできる。図１では足掛け部材２の両側端部５の二箇所に帯状の部材の左右端部を接続し、該帯状の部材と足掛け部材２との間に孔１０を形成し、該孔１０に伸縮部材１を通した形態を示している。段落（０００８）で説明した様に該伸縮部材支持部３は外側間の間隔を１０ｃｍ以上有しているが、ここで更に説明すれば、外側間の間隔とは伸縮部材支持部３の端部側間の間隔と云うこともできる。依って段落（０００８）で説明した様に一つの部材で伸縮部材支持部３を形成することもできる。図１以外の実施の態様を図４の側面図（ａ）と（ｂ）と（ｃ）で示す。図４では伸縮部材を記せずに示すものである。図４（ａ）は孔１０を形成した部材を足掛け部材２に取り付けた形態である。図（ｂ）は前述した所定の長さを有する一つの筒状部材を一つの足掛け部材２に形成したものである。又、図（ｃ）で示す様に所定の硬さの孔を有する部材の上側面に隙間１１を形成して、該隙間１１から伸縮部材を押し入れる構造を有するものでも良い。又、図１で示した帯状の伸縮部材支持部３を図４の側面図（ｄ）で示す様にマジックテープ１２の雄側テープと雌側テープを重ねて形成し、伸縮材支持部３を開いて伸縮部材を外せる構造としても良い。以上の構造に於いて、実施上、伸縮部材支持部３の内側幅は２ｃｍ以上を有することが好ましい。ここで云う内側幅とは足掛け部材２の幅の方向を示す。又、図１で示した如く、伸縮部材支持部３は足掛け部材２の端部５に形成することが、任意の方向に伸縮部材１を引き伸ばした際、足掛け部材２から外れる箇所を少なくすることができ、又、足掛け部材２の幅に対して内側幅を大きくすることが、伸縮部材１を足掛け部材２の幅方向に撓ませて引き張った際に足掛け部材２の捩れ及び撓みを少なくすることができる。この点に就いては更に段落（００１２）で説明する。又、伸縮部材支持部３も足掛け部材２の一部である。
【００１２】  図５は前記伸縮部材支持部３の別の態様を示す側面図である。図５に示す伸縮部材支持部３は１０ｃｍ以上を有する左右二箇所の伸縮部材支持部３の間に更なる伸縮部材支持部３を形成した図である。本態様に於いて、該伸縮部材支持部３は内側幅が外側左右の伸縮部材支持部３の内側幅よりも小さく形成されている。この様にすることで、内側の伸縮部材１を足掛け部材２の幅の中央に保持しておくことができ、段落（００１１）で説明した様に伸縮部材１を足掛け部材２の幅方向に撓ませて使用した際には、伸縮部材支持部３の内側幅は大きい方が好ましいが、撓ませ無い使用方法に戻った時に、伸縮部材支持部３の内側幅が大きいと伸縮部材１が足掛け部材２の片側に片寄ってしまい、中央に戻らない不具合が生じるのである。其れを解決する為に本態様では１０ｃｍ以上の間隔を有する二箇所の伸縮部材支持部３の間に前記二箇所の伸縮部材支持部３の内側幅よりも小さな内側幅を有する伸縮部材支持部３を形成するものである。この様にすることで中央への戻りを容易にし、伸縮部材１の一方向への片寄りを防ぐものである。この態様は前記した筒状の伸縮部材支持部３でも形成することができる。筒の中央部の内側幅を左右端部側の内側幅よりも小さく形成することに依り可能と成る。
【００１３】  次に足掛け曲部４であるが、該足掛け曲部４は環状に形成された伸縮部材１の内側で足を掛け易くする為に及び掛ける位置を一定にする為に及び足し掛け部材２をこの部分で折り畳める様に形成されるものである。実施上、二つの足掛け部材は足掛け部材２の内側で対向していることが好ましい。前述したが、ここで云う対向とは向き合っていると云うことで、環の差し渡しである必要は無い。又、足掛け曲部４には足先を掛け色々な方向に押し広げることになる為、足先に掛る面積を大きくして置くことが好ましく、この点から実施上、前述した様に足掛け曲部４の幅を少なくとも長さ８ｃｍに亘って６ｃｍ以上とすることが好ましい。以下、足掛け曲部４の形状に就いては図６の平面図（ａ）と（ｂ）に其の曲がりの部分を記している。図（ａ）は屈曲した形態であり、図（ｂ）は屈折した形態である。又、前述した様に、図１で示した湾曲した足掛け曲部４に比べ曲率が大きい方が足を掛け易く、又折り畳み易く好ましい。又、前述したが実施上、曲率は曲率半径で５ｃｍ以内であることが好ましい。
【００１４】  次に本環状の筋肉トレーニング器に係る別の態様を図７の平面図（ａ）と（ｂ）と展開図（ｃ）で説明する。図７（ａ）では二つの足掛け部材２の其々の中央部の厚みを凹状に薄くして足掛け曲部４を形成し、環状の伸縮部材１の内側に取り付けた形態を示しているが、この形態では二つの足掛け部材２の其々の端部５が離れてしまい、足掛け曲部４に於いて折り畳むことが難しくなっている。この状態を解決する為に、図（ｂ）で示す様に伸縮部材１の内側に宛がい取りつける際に、相互の両側端部５を接触部７で接触させ、環の左右に足掛け曲部４を形成するものである。又、図（ｂ）の足掛け曲部４は図（ａ）で示した足掛け部材２の中央を凹状に形成する方法以外に、図（ｃ）に示す様に二つの四角いブロックで形成された足掛け部材２の外側面を補強部材６で繋ぎ、繋ぎ部分の部材を斜めに傾斜させて、この部分にＶ字状の溝部８を形成し、溝部８の面を合わせて足掛け部材２を二つ、端部を接触させて取り付けても図（ｂ）で示す形状を形成することができる。本態様に於いては図（ａ）の凹状及び図（ｃ）のＶ字状の溝は同じ考え方であり、足掛け部材２の所定の箇所の厚みを他部より厚みを薄く形成するものである。この他にＵ字状又は其の他の形状で溝部８が形成できる。溝部８の形状及び溝部の深さは任意である。以上で説明した様に、足掛け部材２の両側端部５を相互に接触させ、足掛け部材の所定の箇所を他部よりも厚みを薄く形成して伸縮部材１に取り付ける方法を一定の箇所に足掛け曲部４を形成する手段とするものである。又、上記溝部８の形状寸法に関しては経験的に決定されて良い。又、図（ｃ）では足掛け部材２を分割して補強部材６で繋いだ形態であるが、分割せずに一体の形態で溝部８又は薄みを形成しても良い。又、図（ｂ）では二つの足掛け部材２の両側端部５を合わせて直接に接触させているが、他部材を介して間接に接触させても良い。以上、合わせて接触させることに依り、曲部の形成ができ更に曲部の広がりを抑えることができるのである。但しこの場合、伸縮部材１の環の外側から内側への適度な圧縮が有ると形成が容易と成る。
【００１５】  次に本環状の筋肉トレーニング器に係る別の二つの態様を図８の平面図（ａ）と（ｂ）と（ｃ）で説明する。図８（ａ）は二つの足掛け部材２の足掛け曲部４が曲がり、其々の両側端部５を合わせて折り畳み、上下二枚の二重の状態に形成した形態を示している。図（ａ）に於いて、折り畳んだ形状を保持し、元に戻ることを防ぐ為に止め具９が形成されている。本態様に於いては二重にした際に所定の箇所の厚みが少なくとも８ｃｍ以上と成ることが要件と成っている。他の態様では図（ｂ）で示す様に重ねられた前記二枚の足掛け部材２の中央部を更に折り畳んで、足掛け部材２を四枚の四重にして、止め具９で形状を保持した図である。四重に形成した厚みは１０ｃｍ以上であることが要件と成っている。この様に所定の厚みを有することで外側から足又は手で挟んで圧縮する運動が可能と成る。実施上は二重に於いては１０ｃｍ以上程度で四重に於いては１５ｃｍ以上程度が好ましい。折り畳んで重ねた際の厚みは重なる面を密着させた際の寸法である。又、実施上、止め具は図（ｃ）で示す様にマジックテープ１２の雄側と雌側で形成すると止め外しが容易と成り好ましい。又、止め具９の形成位置は図９で示す形態以外に伸縮部材１又は伸縮部材支持３又は本環状の筋肉トレーニング器を構成する其の他の部材に形成することができる。
【００１６】  上記に於いて本考案に係る環状の筋肉トレーニング器の各部の好ましい形状及び寸法及び材質に就いて説明したが、上記で限定した材質及び寸法以外に於いては限定されること無く、形状及び寸法及び材質は適宜経験的に決定できる。
【００１７】  本考案に係る環状の筋肉トレーニング器に依れば、身体全体に亘る運動を安全に且つ容易に行うことができる。
【図面の簡単な説明】
【００１８】
【図１】  本考案の一態様に係る環状の筋肉トレーニング器の構造を示す正面図（ａ）と平面図（ｂ）と側面図（ｃ）である。
【図２】  本考案の一態様に係る環状の筋肉トレーニング器の構造を示す正面図（ａ）と平面図（ｂ）と（ｃ）である。
【図３】  考本案の一態様に係る環状の筋肉トレーニング器の構造の一部分を示す側面図（ａ）と平面図（ｂ）である。
【図４】  本考案の一態様に係る環状の筋肉トレーニング器の構造を示す側面図（ａ）と（ｃ）と（ｄ）と正面図（ｂ）である。
【図５】  本考案の一態様に係る環状の筋肉トレーニング器の構造を示す側面図である。
【図６】  本考案の一態様に係る環状の筋肉トレーニング器の構造を示す平面図（ａ）と（ｂ）である。
【図７】  本考案の一態様に係る環状の筋肉トレーニング器の構造を示す平面図（ａ）と（ｂ）と展開図（ｃ）である。
【図８】  本考案の一態様に係る環状の筋肉トレーニング器の構造を示す平面図（ａ）と（ｂ）と（ｃ）である。
【符号の説明】
【００１９】  １、伸縮部材
２、足掛け部材
３、伸縮部材支持部
４、足掛け曲部
５、端部
６、補強部材
７、接触部
８、溝部
９、止め具
１０、孔
１１、隙間
１２、マジックテープ
【図１】
0003166018.tif 000003
【図２】
0003166018.tif 000004
【図３】
0003166018.tif 000005
【図４】
0003166018.tif 000006
【図５】
0003166018.tif 000007
【図６】
0003166018.tif 000008
【図７】
0003166018.tif 000009
【図８】
0003166018.tif 000010